(57)【要約】      （修正有）【課題】紙製収納ケースの閉止状態で不意の衝撃力が紙製収納ケースに加わっても蓋体と箱体が分離することがないとともに、開閉時には蓋体を箱体から分離しやすくした紙製収納ケースを提供する。【解決手段】蓋体２と箱体３から構成される略逆四角錐台の略細長枠の紙製収納ケース１であって、当該蓋体２は、短辺の１／８〜１／１２の長さの蓋つば部７を全周にもつトレー構造であり、その短辺上の前後方向にある蓋つば部７にはＶ字状の蓋凹溝９、９´が蓋つば部７を横切り、当該箱体３は、当該蓋つば部７および蓋凹溝９、９´に当接する箱受台および箱凹溝が設けられ、その前後の短側部は、当該箱凹溝と垂直な位置に弾性紐４が取り付けられ、さらにその延長上にその前後の短側部を底部で連結する湾曲した凹条が設けられ、その底部には当該凹条に連結された複数の凹矩片が設けられている。【選択図】図１
2015226700.tif 000002
【特許請求の範囲】
【請求項１】
蓋体（２）と箱体（３）と弾性紐（４）から構成される略直方体の紙製収納ケース（１）において、当該蓋体（２）は、短辺の１／８〜１／１２の長さの蓋つば部（７）を全周にもつトレー構造であり、その短辺上の前後方向にある蓋つば部（７）にはＶ字状の蓋凹溝（９、９’）が蓋つば部（７）を横切り、当該箱体は、当該蓋つば部（７）および蓋凹溝（９、９’）に当接する箱受台（１２）および箱凹溝（１３、１３’）が設けられ、その前後の短側部には、当該箱凹溝と垂直な方向に弾性紐が取り付けられ、さらにその延長上にその前後の短側部（５、５’）を底部（１５）で連結する湾曲した凹条（１７）が設けられ、その底部（１５）には当該凹条（１７）に連結された複数の凹矩片（１６、１６’）が設けられ、当該弾性紐（４）は、その両端が前後の短側部（５、５’）に留められ、前短側部（５）から蓋体上面を経由して後短側部（５’）まで折れ曲がって蓋体（２）と連結していることを特徴とする紙製収納ケース。
【請求項２】
当該箱体（３）の短側部（５、５’）の弾性紐（４）が直角以上の角度で折れ曲がって蓋体（２）と連結していることを特徴とする請求項１に記載の紙製収納ケース。
【請求項３】
当該紙製収納ケース（１）が略逆四角錐台であることを特徴とする請求項１に記載の紙製収納ケース。
【請求項４】
当該箱体（３）の厚さが１．５〜２．５mmであることを特徴とする請求項１に記載の紙製収納ケース。
【請求項５】
当該弾性紐（４）が短側部（５、５’）の中央の高さに取り付けられていることを特徴とする請求項１に記載の紙製収納ケース。
【請求項６】
当該箱体（３）の短側部（５、５’）の逆頂角が５〜１５°であることを特徴とする請求項１に記載の紙製収納ケース。
【請求項７】
当該箱体（３）が積層構造であることを特徴とする請求項１に記載の紙製収納ケース。
【請求項８】
当該凹矩片（１６、１６’）の個数が３個、５個または７個であることを特徴とする請求項１に記載の紙製収納ケース。
【請求項９】
蓋体（２）のトレー部（８）の深さが蓋凹溝の深さよりも深いことを特徴とする請求項１に記載の紙製収納ケース。
【請求項１０】
当該凹条（１７）の深さが凹矩片（１６、１６’）の深さよりも深いことを特徴とする請求項１に記載の紙製収納ケース。
【発明の詳細な説明】
【技術分野】
【０００１】
本発明は、紙製の蓋体と箱体とを弾性紐でつなぎとめる分離可能な収納ケースに関するもので、特にペン、印鑑、クリップ、名刺あるいはＳＤカード、ＵＳＢメモリ等のメモリーカードなどの小物類を収容する収納ケースに関するものである。
【背景技術】
【０００２】
従来、蓋体と箱体が分離可能な収納ケースには様々なものが提案されている。例えば、実公昭４０−３２９１３号公報（後述する特許文献１）には、「両側壁を下方に向かって内方に傾斜せしめると共に該側壁内面の鉛筆の入る部分の底面との接線に丸味を持たし該両側壁内面の上方部両端近くにリブを突設した身の部分の鉛筆収容部に…中凹とした蓋を前記身の部分に嵌め込んだ鉛筆包装箱」が開示されている。この鉛筆包装箱は、「蓋は概ね透明のプラスチックを以て成型し…筆皿の如き形状をなすものであり、身の部分も亦プラスチックを以て成型され（同公報１ページ左欄）」たペンケースである。このペンケースは、「蓋をしめると蓋は身の内壁のリブによって両側より押し付けられて蓋は容易には身からはずれ落ちることはなく、且蓋は筆皿の様に側縁部以外は内下方に凹入しているから自然に収容された鉛筆を上より押さえ付けるから鉛筆が箱内で乱雑となることはなく、且箱の内部が底幅が狭くなって上の方が広くなって居るから蓋の押えがよくでき、…身の両側内壁の下部底面との接する部分に丸味を持たせてあるので下方の鉛筆を取り出す際に持ち上げ易く、蓋はその形状からしてペン皿その他小物入れとしても利用出来るのである（同公報１ページ右欄）」。
【０００３】
この先行技術は、プラスチックの精密な射出成形を利用したもので、「リブ」が本願の蓋つば部に相当する。しかし、このようなペンケースに弾性紐をかけようとすると、弾性紐はプラスチックの蓋から滑り落ちる。また、弾性紐を折れ曲がるようにかけようとすると、プラスチックのエッジによって弾性紐が切れてしまう。他方、このようなペンケースを厚紙で製作しようとすると、箱体自体の強度が足りず、また、プラスチックのような精密な射出成形ができないので、蓋体と箱体とを弾性紐で閉じることができず、蓋体と箱体とが外れやすいという欠点がある。
【０００４】
他方、蓋体と箱体が分離しないように、「蓋両側中間部に伸縮バンド両端を固着し、該伸縮バンドを容器本体外底面側に回動して蓋と容器本体とを一体に巻回圧着する如くした描画材容器の蓋止め装置（実開昭６２−２７０２１号公報（後述する特許文献２））」などはよく知られている。しかしながら、強力な伸縮バンドを用いると、強度の弱い厚紙は変形しやすく、一旦変形すると、その癖がついてなかなか元通りに戻らないという課題があった。逆に、弱い伸縮バンドを用いると、蓋体と箱体が分離して内部の筆記具がこぼれ落ちるという課題があった。
【先行技術文献】
【特許文献】
【０００５】
【特許文献１】実公昭４０−３２９１３号公報
【特許文献２】実開昭６２−２７０２１号公報に係る全文明細書
【発明の概要】
【発明が解決しようとする課題】
【０００６】
本発明は、上記課題に鑑みてなされたものであり、紙製収納ケースの閉止状態で衝撃力が紙製収納ケースに加わっても、弾性紐の強力な弾性力によって蓋体と箱体が分離することがないとともに、開閉時には弾性紐の弾性力が弱く、しかも、箱体外側の両長側部を指でつまみやすくして蓋体を箱体から分離しやすくした紙製収納ケースを提供することを目的とする。
【課題を解決するための手段】
【０００７】
上記の課題を解決するための手段として、請求項１に記載の発明は、蓋体（２）と箱体（３）と弾性紐（４）から構成される略直方体の紙製収納ケース（１）において、当該蓋体（２）は、短辺の１／８〜１／１２の長さの蓋つば部（７）を全周にもつトレー構造であり、その短辺上の前後方向にある蓋つば部（７）にはＶ字状の蓋凹溝（９、９’）が蓋つば部（７）を横切り、当該箱体は、当該蓋つば部（７）および蓋凹溝（９、９’）に当接する箱受台（１２）および箱凹溝（１３、１３’）が設けられ、その前後の短側部には、当該箱凹溝と垂直な方向に弾性紐が取り付けられ、さらにその延長上にその前後の短側部（５、５’）を底部（１５）で連結する湾曲した凹条（１７）が設けられ、その底部（１５）には当該凹条（１７）に連結された複数の凹矩片（１６、１６’）が設けられ、当該弾性紐（４）は、その両端が前後の短側部（５、５’）に留められ、前短側部（５）から蓋体上面を経由して後短側部（５’）まで折れ曲がって蓋体（２）と連結していることを特徴とする紙製収納ケースである。
【０００８】
また、請求項２に記載の発明は、当該箱体（３）の短側部（５、５’）の弾性紐（４）が直角以上の角度で折れ曲がって蓋体（２）と連結していることを特徴とする請求項１に記載の紙製収納ケースである。  
【０００９】
また、請求項３に記載の発明は、当該紙製収納ケース（１）が略逆四角錐台であることを特徴とする請求項１に記載の紙製収納ケースである。  
【００１０】
また、請求項４に記載の発明は、当該箱体の厚さが１．５〜２．５mmであることを特徴とする請求項１に記載の紙製収納ケースである。  
【００１１】
また、請求項５に記載の発明は、当該弾性紐（４）が短側部（５、５’）の中央の高さに取り付けられていることを特徴とする請求項１に記載の紙製収納ケースである。
【００１２】
また、請求項６に記載の発明は、当該箱体（３）の短側部（５、５’）の逆頂角が５〜１５°であることを特徴とする請求項１に記載の紙製収納ケースである。
【００１３】
また、請求項７に記載の発明は、当該箱体（３）が積層構造であることを特徴とする請求項１に記載の紙製収納ケースである。
【００１４】
また、請求項８に記載の発明は、当該凹矩片（１６、１６’）の個数が３個、５個または７個であることを特徴とする請求項１に記載の紙製収納ケースである。
【００１５】
また、請求項９に記載の発明は、蓋体（２）のトレー部（８）の深さが蓋凹溝の深さよりも深いことを特徴とする請求項１に記載の紙製収納ケースある。
【００１６】
また、請求項１０に記載の発明は、当該凹条（１７）の深さが凹矩片（１６、１６’）の深さよりも深いことを特徴とする請求項１に記載の紙製収納ケースである。
【００１７】
本発明において、弾性紐が前短側部から蓋体上面を経由して後短側部まで折れ曲がって蓋体と連結していることとしたのは、弾性紐の伸びを短い部分と長い部分とに分けるためである。すなわち、蓋体にあるＶ字状の蓋凹溝の高さが小さくても、弾性紐の短い部分にとってこの距離を伸び率で換算すると大きな伸び率となる。よって、弾性紐が折れ曲がった状態で紙製収納ケースに衝撃力がかかると、厚紙と弾性紐との摩擦係数が大きいので短い部分の弾性紐は伸びにくくなり、弾性紐の伸びを短い部分と長い部分とに分けることができる。また、弾性紐は短い部分の伸びによって蓋凹溝をしっかり押さえつけることができる。他方、トレー上の長い部分の弾性紐は伸びやすいので、容易に指でつまむことができる。そして、ゆっくり引っ張るときは、短い部分の弾性紐も長い部分の弾性紐に連動して伸びるので、簡単に蓋を開けることができる。本発明の紙製収納ケースは、このような弾性紐の伸びの違いを利用してなされたものである。
【００１８】
本発明において、箱体の短側部の弾性紐が直角以上の角度で折れ曲がって蓋体と連結していると、弾性紐の短い部分の伸び影響を長い部分に及ぼさないようにすることがさらに良くできる。特に紙製収納ケースが略逆四角錐台であることが、弾性紐がない場合に箱体から蓋体が分離しやすくなるので特に好ましい。
【００１９】
また、蓋体が蓋つば部を全周にもつトレー構造を有することとしたのは、従来技術と同様に、箱体からペン、印鑑、クリップ、名刺、ＳＤカード、ＵＳＢメモリ等のメモリーカードなどの小物を取り出したときにそれを置くためのトレーとして利用可能にするためである。また、蓋つば部は短辺の１／８〜１／１２の長さが好ましい。この範囲の長さにしたのは、弾性紐によって蓋体を水平方向に押さえつけるためである。すなわち、箱体と一体化したときに箱体のつば部外側に当接する受台によって蓋体と箱体の隙間から小物類がこぼれでないようにするため短辺の１／１２の長さが好ましい。ただし、つば部が長くなりすぎると、収納ケースがかさばるため短辺の１／８の長さまでが好ましい。また、蓋体に剛性をもたせるため、本発明において蓋体の厚さは１．５〜２．５mmが好ましい。
【００２０】
また、本発明において、Ｖ字状の蓋凹溝が蓋つば部を横切ることとしたのは、短い部分の弾性紐によって蓋つば部を押さえつけるためである。このようにすると、弾性紐は紙との摩擦係数が大きいので、蓋つば部の上を滑りにくく、蓋体の垂直方向に大きなばね圧縮力が働いて弾性紐が蓋体をしっかり閉じることができる。
【００２１】
また、本発明において、蓋つば部および蓋凹溝に当接する箱受台および箱凹溝を箱体に設けたのは、蓋体と箱体を一体的に嵌め合わせるためである。これにより2箇所の蓋つば部であっても蓋体と箱体の隙間から小物類がこぼれ出ないようにすることができる。また、このとき蓋体のトレーの深さが蓋凹溝の深さよりも深いこととすれば、箱凹溝の先のトレー上では弾性紐が浮いた状態になるので、その取り外しが簡単になり好ましい。さらに、この場合は、浮いた状態の弾性紐に筆記具等を挟んで簡易固定することができるので、好ましい。
【００２２】
また、本発明において、箱体の前後の短側部には底部で連結する湾曲した凹条が設けられているので、弾性紐を外して箱体が蓋体と分離すると、凹条によって弾性紐を隠し、底部の高さを一定に揃えることができ、また、弾性紐は弱い弾性力で凹条にくっついているので、蓋体を箱体に閉じる場合には、弾性紐を簡単に凹条から外して蓋体の蓋凹溝にはめ込むことができる。底部の凹条は箱体内部では凸条となり、凹条の深さが凹矩片の深さよりも深い場合には、底部の凹条は内部にある小物類を二分する仕切り板となることができる。凹条の湾曲形状は半円状が好ましい。
【００２３】
また、本発明において、底部には凹条に連結された複数の凹矩片が設けられているので、凹条とともに底部を補強することができる。この凹矩片は、底面の凹凸を形成するので、箱体に鉛筆やボールペン等の筆記具類を収納した場合は取り出しやすいスペースを提供し、クリップやボタン電池等の小型小物類を収納した場合は凹条をさらに細分化する仕切り板となる。また、この凹矩片の３個の幅を調節して名刺サイズの大きさにすれば、紙製収納ケースは取り出しやすい名刺ボックスとすることができる。なお、本発明において、凹矩片の個数を３個、５個または７個の奇数個であれば、指を挟む位置がほぼ中央になるので、少ない力で蓋体を上方へ持ち上げ、分離しやすくすることができる。また、左右の長側部の凹台片が水平模様のザラザラした質感であれば、より摘みやすく押さえやすくなる。
【００２４】
本発明において、左右の長側部の外側に左右対称にそれぞれ内側へ浅エンボス加工された、３〜６個の台形形凹台片が等間隔で設けられているのは、箱体の左右の長側部を補強するためである。また、その厚さが１〜３mmであれば、再生紙であっても箱体に剛性をもたせることができる。好ましくは、箱体の厚さが１．５〜２．５mmであることが良い。また、箱体が圧縮された再生紙による積層構造を有していれば、箱体の左右の長側部の外側から内側へ押圧し、蓋体を取り外す動作を何千回〜何万回繰り返しても箱体の剛性を保持することができる。繰返しによる変形は箱体を内方向へ曲げるので、箱体がくたびれても箱体と蓋体との隙間は少ないままである。さらに、積層構造にした場合は、機械的強度を増すとともに、紙の質感や風合いなどの美的効果も内側と外側で変えることができる。また、凹台片を台形形にすると、指をはいりやすくし、片方の親指と人差し指または中指で箱体を摘みやすくし、親指と人差し指等で押さえると、蓋体が上昇して蓋体を取り出しやすくなる。
【発明の実施の形態】
【００２５】
次に、図面を参照して本発明の好適な実施形態について詳細に説明する。なお、全図中、同一又は相当部分には同一符号を付し、重複した説明は省略する。
【００２６】
図１ないし図３は本発明による紙製収納ケース（１）の一実施形態を示す図であり、図１および図２は筆記具ケースを示し、図３は名刺入れを示す。図１は、紙製収納ケース（１）の斜視図であり、図１（ａ）および（ｂ）が蓋体と箱体が閉じる前後の状態を示す。図２は箱体底部の正面図を示している。これらの図に基づいて説明する。
【００２７】
紙製収納ケース（１）は、厚さ２mmの蓋体（２）と厚さ２mmの箱体（３）とからなり、弾性紐（４）が箱体（３）の前後の短側部（５、５‘）に留め具（６、６’）を介して取り付けられている。
【００２８】
蓋体（２）は、角を丸くした６５mm×１８５mm×６mmの長方形で、全周に表側の幅６mmの蓋つば部（７）が設けられている。蓋つば部（７）の内側は、５mm凹んだ平滑なトレー部（８）である。箱体（３）の前後の短側部（５、５’）上の蓋つば部（７）の中央部分の外側には蓋凹溝（９、９’）が設けられ、この蓋凹溝（９、９’）に対応して内側には押圧された蓋凸起（１０、１０’）が形成される。
【００２９】
箱体（３）は左右の長側部（１１、１１’）の頂角が１２°の略逆四角錐台であり、上面は角を丸くした６５mm×１８４mmの長方形で、底面も角を丸くした５３mm×１７２mmの長方形で、高さが３３mmである。上面には蓋つば部（７）に当接する幅５mmの箱受台（１２）が設けられ、箱受台（１２）には蓋凹溝（９、９’）を嵌め込む箱凹溝（１３、１３’）が設けられている。左右の長側部（１１、１１’）の外側には、左右対称に、それぞれ内側へ２mmほど浅エンボス加工された、５個の台形形凹台片（１４、１４’）が等間隔で設けられている。凹台片（１４、１４’）の上辺はいずれも８mmであり、底辺はいずれも１２mmである。
【００３０】
この底辺はそのまま底部（１５）の外側にある浅エンボス加工された、５本の１２mmの矩形形凹矩片（１６、１６’）につながっている。また、この５本の凹矩片（１６、１６’）はすべて底部（１５）の中央を横切る、深エンボス加工された１本の８mmの凹条（１７）に連結されている。この凹条（１７）の両端は、前後の短側部（５、５’）まで湾曲状に延設されている。
【００３１】
次に、本発明の使用方法ないし作用を説明する。
まず、蓋体（２）を箱体（３）から分離する場合について説明する。
蓋体（２）の上にある弾性紐（４）を箱体底部（１５）の凹条（１７）に引っ掛ける。弾性紐（４）は張力が弱いので、楽に引っ掛けることができる。次に、左右の長側部（１１、１１’）の中央にある台形形の凹台片（１４、１４’）を片手の親指と中指でそれぞれつまんで押さえると、蓋体（２）が上方に持ち上がり、箱体（３）から滑り落とすことができる。その後、箱体（３）内部の必要な小物を取り出し、蓋体（２）のトレー部（８）に置くことができる。
【００３２】
次に、蓋体（２）を箱体（３）に閉塞する場合について説明する。
基本的には、蓋体（２）を箱体（３）から分離する場合の逆の動作を行うことになる。すなわち、箱体底部（１５）の凹条（１７）にある弾性紐（４）を蓋体（２）の蓋凹溝（９、９’）に嵌める。この時、弾性紐（４）は全長が湾曲状に固定されているのでその引張り力が弱く、弾性紐（４）は箱体底部（１５）の凹条（１７）から簡単に外すことができる。また、弾性紐（４）の留め具（６、６’）と蓋つば部（７）との距離が短いので、取り外した弾性紐（４）は、その引張り力が弱いので、無理なく蓋つば部（７）に収めることができる。
【００３３】
以上、本発明の好適な１個の実施形態について詳細に説明したが、本発明は上記実施形態に限定されないことは言うまでもない。
【発明の効果】
【００３４】
本発明に係る紙製収納ケースは、以下の効果を有する。
蓋体を閉じた状態では、引張力が弱い弾性紐を用いても、箱体と蓋体との連結部で弾性紐が折れ曲がっているので、長さの短い箱体の弾性紐の強い押圧力によって蓋体の押さえがよくできる。このため、収納ケースがバッグ内で不意に転倒しても、蓋体と箱体の隙間から小物類がこぼれ出ることはない。
また、蓋体を押さえている弾性紐の方は長く、押圧力が弱いので、蓋体を閉じた状態で筆記具等を蓋体のトレーと弾性紐との間に挟むことができる。
また、蓋体を箱体から分離する作業を繰り返すと、箱体の中央の台形形凹台片にある積層した紙が柔らかくなって箱体の寿命がくる。しかし、箱体は長側部が内方へ変形してくるので、変形しない蓋体でカバーすることができ、箱体の寿命を延長することができる。
また、部品のすべて大部分を再生紙などの紙で構成するので、安価であり、かつ、環境にやさしい紙製収納ケースとなることができる。
また、蓋体を箱体から分離すると、蓋体は小物を入れる受け皿として利用することができる。
【図面の簡単な説明】
【００３５】
【図１】本発明に係る紙製収納ケースの斜視図である。
【図２】本発明に係る箱体底部の正面図である。
【図３】本発明に係る名刺入れの斜視図である。
【符号の説明】
【００３６】
１……紙製収納ケース
２……蓋体
３……箱体
４……弾性紐
５、５’……短側部
６、６’ ……留め具
７……蓋つば部
８……トレー部
９、９’……蓋凹溝
１０、１０’ …… 蓋凸起
１１、１１’……長側部
１４、１４’ ……凹台片
１５……底部
１６、１６’……凹矩片
１７……凹条
【図１】
2015226700.tif 000003
【図２】
2015226700.tif 000004
【図３】
2015226700.tif 000005